(57)【要約】【課題】電気・電子機器収納用キャビネットを連結した場合に、キャビネットの隣り合う側面を開口させてこの開口を介してケーブルを弛むことなく配線できる電気・電子機器収納用キャビネットのケーブル保持部材を提供する。【解決手段】キャビネットの開閉自在とした開口の内側両側に配置した機器取付用の一対のマウントレールに後部をもって取り付けるケーブル保持板部２の両端をキャビネットの外壁内面に当接または近傍に位置する長さに形成したうえ該両端にケーブル挿通用の切欠部３を設ける。【選択図】図１
2007201332.tif 000002
【特許請求の範囲】
【請求項１】
キャビネットの開閉自在とした開口の内側両側に配置した機器取付用の一対のマウントレールに後部をもって取り付けるケーブル保持板部の両端をキャビネットの外壁内面に当接またはその近傍に位置する長さに形成したことを特徴とする電気・電子機器収納用キャビネットのケーブル保持部材。
【請求項２】
ケーブル保持板部は両端にケーブル挿通用の切欠部を設けたことを特徴とする請求項１に記載の電気・電子機器収納用キャビネットのケーブル保持部材。
【発明の詳細な説明】
【技術分野】
【０００１】
本発明は、電気・電子機器収納用キャビネットを連結した場合に、キャビネットの隣り合う側面を開口させてこの開口を介してケーブルを弛むことなく配線できる電気・電子機器収納用キャビネットのケーブル保持部材に関するものである。
【背景技術】
【０００２】
電気・電子機器収納用キャビネットを連結した場合に隣り合うキャビネット間の配線は図１４に示すようにキャビネット１００の床下スペース１０１を介して行うか、図１５に示すようにキャビネット１００の天井１０２から出線させて天井１０２の上部に配置したケーブルラック１０３に引き込んで行うものがある。また、特許文献１のように、キャビネットの上下枠に配線ダクトを設けたものもある。しかしながら、これらのものはケーブルをキャビネット１００の床下または天井まで引き込む必要があり、配線増設時やメンテナンス時の作業性が悪く、整線にも手間がかかっていた。
【０００３】
そこで、図１６〜図１８に示すようにキャビネット１００内において該キャビネットに設置した配電ユニット、制御ユニット等のユニット類に配線するケーブルを収納するケーブルダクト１０４を隣り合うキャビネットのケーブルダクトと同一高さに取り付けて、連結箇所である側壁を外して開口させた側面間を介して隣り合うケーブルダクト１０４間にケーブルを配線するものがある。ところが、このケーブルダクト１０４はキャビネット１００内に引き込んだケーブルをユニット類に配線するものであるため、ケーブル保持部１０４ａの幅はケーブルダクト１０４の両側に設けたマウントレール１１０への取付部１０４ｂより内寄りとしケーブル保持部１０４ａ両側にケーブルの配線空間を確保できるものとしていた（例えば、特許文献２参照）。そのため、連結したキャビネット１００同士のケーブルダクト１０４間の距離が長くなりケーブルダクト１０４内に収めたケーブルの余長分が垂れ下がるためケーブルダクト１０４の端部においてケーブルにテンションがかかり、通信速度が遅くなる等の問題がある。
【０００４】
【特許文献１】特開２００２−１１１２５７号公報（段落0017〜0018及び図１）
【特許文献２】特開２００２−１５９１１５号公報（図１）
【発明の開示】
【発明が解決しようとする課題】
【０００５】
本発明は前記のような問題点を解決して、電気・電子機器収納用キャビネットを連結した場合に、キャビネット隣り合う側面間を開口させて、この開口を介してケーブルを弛むことなく配線できる電気・電子機器収納用キャビネットのケーブル保持部材を提供することを目的として完成されたものである。
【課題を解決するための手段】
【０００６】
本発明の電気・電子機器収納用キャビネットのケーブル保持部材は、キャビネットの開閉自在とした開口の内側両側に配置した機器取付用の一対のマウントレールに後部をもって取り付けるケーブル保持板部の両端をキャビネットの外壁内面に当接またはその近傍に位置する長さに形成したものを基本の発明とし、この発明において、ケーブル保持板部は両端にケーブル挿通用の切欠部を設けたものとすることが好ましい。なお、ケーブル挿通用の切欠部にエッジングを施したり、ケーブル保持板部の前面を覆うカバーを着脱自在に設けても良く、さらに、ケーブル保持板部にケーブル固定部材取付孔を設けても良い。
【発明の効果】
【０００７】
前記のような本発明は、機器取付用の一対のマウントレールに後部をもって取り付けるケーブル保持板部の両端をキャビネットの外壁内面に当接またはその近傍に位置する長さに形成したものであるので、連結した電気・電子機器収納用キャビネットの隣り合う側面間を開口させて、この開口を介してケーブルを配線すれば、ケーブルはキャビネットの開口させた側面までの長さのある前記ケーブル保持板部に保持されているので、隣り合うこととなるケーブル保持板部同士の端部間は間隔が狭くケーブルが弛む恐れなく無く的確に配線できるものである。
【０００８】
この場合に、配電ユニット、制御ユニット等のユニット類のケーブル引込み口がキャビネットの下方にある場合には、マウントレールの下方に取り付けて、ケーブル保持板部に保持させたケーブルを該ケーブル保持板部の上方から各ケーブル引込み口に配線することができるものである。また、ケーブル保持板部の両端にケーブル挿通用の切欠部を設けたものであるので、ユニット類のケーブル引込み口がキャビネットの上方にある場合には、ケーブル保持部材をマウントレールの上方に取り付けて、前記ケーブル保持板部に保持させたケーブルを切欠部を介してケーブル保持板部の下方に引き回したうえ各ケーブル引込み口に配線することができ、配線を行う箇所がキャビットの上下のどのような位置にあっても、一種類のケーブル保持部材を用意することにより対応できる。
【０００９】
また、本発明のケーブル保持部材は前記したようにケーブル保持板部の両端をキャビネットの外壁内面に当接またはその近傍に位置する長さに形成してケーブル挿通用の切欠部を設けたものであるので、電気・電子機器収納用キャビネットを単体で使用した場合のケーブルの配線にも使用できるものである。
【発明を実施するための最良の形態】
【００１０】
次に、本発明の好ましい実施の形態を図１〜図９に基づき説明する。
図１〜図４は本発明のケーブル保持部材Ａを示す図である。このケーブル保持部材Ａは、キャビネット１００の正面側の開閉自在とした開口の両側内側に配置した機器取付用の一対のマウントレール１１０、１１０に後部の垂直な取付板部１をもって取り付けるケーブル保持板部２の両端をキャビネット１００の外壁内面すなわち側面に取り外し自在とした側板の内面に当接またはその近傍に位置する長さに形成したもので、垂直な取付板部１と、該取付板部１の前方に連設した水平なケーブル保持板部２とよりなる断面Ｌ字状のものである。そして、前記取付板部１は両側にマウントレール１１０へ取り付けするための締結部材であるネジを挿通するためのネジ挿通孔１１が設けてある。また、ケーブル保持板部２は両側にケーブル挿通用の切欠部３、３を設けている。この切欠部３、３は水平なケーブル保持板部２の両側を先端からＵ字状に形成して切欠縁部を合成樹脂製縁取材等によりエッジング３ａを施している。なお、ケーブル保持板部２の後部を一対のマウントレール１１０、１１０に取り付け手段としては垂直な一連の取付板部１をもって取り付けることがマウントレール１１０の補強上およびケーブルのはみ出し防止上好ましいが、ケーブル保持板部２の後部にマウントレール１１０に対応させて取付孔付の取付片を設けても、あるいは、マウントレール１１０の係止孔に係合する係止爪を設けたものであってもよい。
【００１１】
４はケーブル保持板部２の前面の上部側を覆うカバーであり、該カバー４はケーブル保持板部２の両側先端縁を上向きに連設した取付片２１、２１に添装してネジ止めにより着脱自在に取り付けている。図示のものにおいては、取付片２１、２１にネジ孔２１ａを設けてカバー４に摘み付の雄ネジ２１ｂを回動自在に軸支して、摘みを手指により把持して雄ネジ２１ｂを回動させてネジ孔２１ａに螺合、解除させて着脱自在としている。なお、この着脱自在とする手段はワンタッチで着脱が可能なファスナー等でもよい。
【００１２】
また、ケーブル保持板部２にケーブル固定部材取付孔２２が設けられている。このケー
ブル固定部材取付孔２２はケーブル保持板部２に多数本のケーブル３００を面ファスナー付帯状結束部材、紐状結束部材線材等の結束部材５により巻回できるようにケーブル保持板部２の前後方向に一対又はケーブル保持板部２の先端と対になるようにケーブル保持板部２の幅方向に複数組設けている。
【００１３】
このように構成されたものは、隣り合う外壁すなわち側板を外して側面開口同士を連結した電気・電子機器収納用キャビネット１００、１００内に設置する配電ユニット、制御ユニット等のユニット類の位置により図５、図６に示すようにキャビネット１００の下方から配線を行う場合には、キャビネット１００の正面側の両側に配置したマウントレール１１０、１１０の下方に取付板部１の両側をもって取り付ける。
【００１４】
そして、図６に示すようにケーブル保持板部２にケーブル３００を保持させて、連結した隣り合う電気・電子機器収納用キャビネット１００、１００間を開口させた側面間を介してケーブル３００を配線すれば、該ケーブル保持板部２が両端をキャビネット１００の外壁内面に当接または近傍に位置する長さに形成したものであるので、隣り合うこととなるケーブル保持板部２、２同士の端部間は間隔が狭くケーブル３００が弛む恐れなく無く的確に配線できるものである。
【００１５】
また、ケーブル保持板部２に保持させたケーブル３００のユニット類のケーブル引込み口２００への配線は該ケーブル保持板部２の開放されている上方から容易に行うことができるものである。また、ケーブル保持板部２にケーブル固定部材取付孔２２が設けられているので、図９に示すようにケーブル保持板部２に保持した多数本のケーブル３００を結束部材５である面ファスナー付帯状結束部材５により的確にケーブル保持板部２に固定させて纏めて巻回できるものである。
【００１６】
さらに、ケーブル保持板部２の前面を覆うカバー４が着脱自在に取り付けているので、煩雑に保持されているケーブルの束が該カバー４に覆われているので、キャビネットの扉を開けた場合に外観上の見栄えがよいものであり、ケーブル３００の配線作業時にはカバー４を取り外すことにより、キャビネットの開口自在とした正面又は背面から配線作業が行えるばかりでなく、配線の増設及びメンテナンス作業の効率も上がるものである。
【００１７】
また、図７、図８はユニット類の取り付け位置の関係からケーブル保持部材Ａをマウントレールの上方に取り付けて使用する場合を示すものである。この場合には、ケーブル保持板部２に保持させたケーブル３００を該ケーブル保持板部２の両端に設けたケーブル挿通用の切欠部３を介してケーブル保持板部２の下方に引き回したうえユニット類に配線を行うものである。そして、切欠部３にはエッジングが施してあるので、ケーブル保持板部２の下方に引き回すケーブル３００が損傷する虞がないものである。したがって、一種類のケーブル保持部材Ａを上下の何れにも取り付けて対応できるうえ、キャビネット１００の中間位置に取り付けてもケーブル挿通用の切欠部３を利用することにより配線を行うことができるものである。
【００１８】
さらに、本発明に係るケーブル保持部材Ａは、ケーブル保持板部２の両端をキャビネット１００の外壁内面に当接または近傍に位置する長さに形成して、該ケーブル保持板部２の両端にケーブル挿通用の切欠部３、３を設けているので、該切欠部３、３が後記する図１０〜図１３に示す参考例である単体として設置するキャビネット１００の配線に使用するケーブル保持部材Ｂの切欠部１２と同様にケーブルを上方又は下方に引き回す機能があるので、同様に単体として設置するキャビネット１００の配線に使用することができるものである。
【００１９】
〔参考例〕
そこで、図１０〜図１３に示すケーブル保持部材の参考例について説明する。
図１０、図１１はこの参考例のケーブル保持部材Ｂを示すものであり、図１２、図１３に示すキャビネット１００内の側面側の前後に配置した機器取付用の一対のマウントレール１１０、１１０に取り付けるネジ挿通孔１１を両側に設けた垂直な取付板部１と、該取付板部１の前方に連設した両端を該取付板部１の両端と略同一に形成した水平ケーブル保持板部２と、水平ケーブル保持板部２の前縁に起立させた垂直ケーブル保持板部２ａとよりなり、断面Ｕ字状のものである。
【００２０】
そして、前記水平ケーブル保持板部２の両側には、前端側からケーブル垂直配線切替用の切欠部１２、１２が合成樹脂製縁取材等によりエッジング１２ａ、１２ａを施して設けられている。また、垂直ケーブル保持板部２ａの上端から水平ケーブル保持板部２の中央に達するケーブル挿通用の副切欠部１３が所要間隔下に複数設けられている。
【００２１】
また、ケーブル保持板部２と垂直ケーブル保持板部２ａの各副切欠部１３の両側にケーブル固定部材取付孔２２が設けており、多数本のケーブルを面ファスナー付帯状結束部材により束ねて的確にケーブル保持板部２に固定させて纏めて巻回或いは副切欠部１３に纏めて保持させておくことができるものである。
【００２２】
このように構成された参考例にあっては、例えば、多数のケーブル３００を図１３に示すように、キャビネット１００の上方から入線して水平ケーブル保持板部２に保持させて、該水平ケーブル保持板部２から各ケーブルをユニット類に入出線させて、出線させたケーブルを束ねて水平ケーブル保持板部２の両側に設けたケーブル垂直配線切替用の切欠部１２、１２の一方を介して下方に引き回すことができるものである。そして、切欠部１２、１２は合成樹脂製縁取材によりエッジング１２ａ、１２ａを施しているのでケーブルが傷つけられることがないものである。また、ケーブル保持部材Ｂの下方に設置したユニット類にケーブル配線する場合には、前記したように副切欠部１３が設けられているので、該副切欠部１３を介して容易に配線できるものである。
【図面の簡単な説明】
【００２３】
【図１】本発明の実施形態を示す正面側からの斜視図。
【図２】本発明の実施形態を示す背面側からの斜視図。
【図３】本発明の実施形態を示す平面図。
【図４】本発明の実施形態をカバーを外して示す斜視図。
【図５】連結したキャビネットの下側に取り付けた一例を示す正面図。
【図６】連結したキャビネットの下側に取り付けケーブル配線をした一例を示す正面図。
【図７】連結したキャビネットの上側に取り付けた一例を示す正面図。
【図８】連結したキャビネットの上側に取り付けケーブル配線をした一例を示す正面図。
【図９】ケーブル保持部材に多数本のケーブルを結束部材で束ねた状態を示す断面図。
【図１０】参考例を示す正面側からの斜視図。
【図１１】参考例を示す背面側からの斜視図。
【図１２】参考例の使用状態を示す斜視図。
【図１３】参考例の使用状態を態様を異にして示す拡大斜視図。
【図１４】ケーブル配線をキャビネットの床下スペースを介して行う従来例を示す模式的正面図。
【図１５】ケーブル配線をキャビネットの天井から出線させて行う従来例を示す模式的正面図。
【図１６】従来のケーブルダクトを使用したキャビネットの連結状態を示す正面図。
【図１７】従来のケーブルダクトを使用てケーブル配線を行ってキャビネットの連結状態を示す正面図。
【図１８】従来のケーブルダクトを示す斜視図。
【符号の説明】
【００２４】
１  取付板部
２  ケーブル保持板部
３  切欠部
100  キャビネット
110  マウントレール
【図１】
2007201332.tif 000003
【図２】
2007201332.tif 000004
【図３】
2007201332.tif 000005
【図４】
2007201332.tif 000006
【図５】
2007201332.tif 000007
【図６】
2007201332.tif 000008
【図７】
2007201332.tif 000009
【図８】
2007201332.tif 000010
【図９】
2007201332.tif 000011
【図１０】
2007201332.tif 000012
【図１１】
2007201332.tif 000013
【図１２】
2007201332.tif 000014
【図１３】
2007201332.tif 000015
【図１４】
2007201332.tif 000016
【図１５】
2007201332.tif 000017
【図１６】
2007201332.tif 000018
【図１７】
2007201332.tif 000019
【図１８】
2007201332.tif 000020